(57)【要約】      （修正有）【課題】気密の確保とポンプアップの防止を両立させることができる気密キャップ装置を提供する。【解決手段】軸体１０１の装着時、内周部が軸体１０１の外周部に密着することにより軸体１０１の先端部に係る内側空間における気密状態を確保する気密キャップ装置であって、側壁部に内側空間及び外側空間を連通させる連通孔２２ａを有するキャップ部材２ａと、連通孔２２ａを塞ぐようにキャップ部材２ａの外周部に巻装された環状弾性部材２ｂと、を備え、環状弾性部材２ｂは、軸体１０１の進入時には連通孔２２ａを通じての内側空間からの排気を許容し、軸体１０１の装着時には連通孔２２ａを外側から封止する気密キャップ装置である。【選択図】図２
0003145243.tif 000002
【実用新案登録請求の範囲】
【請求項１】
軸体の装着時、内周部が該軸体の外周部に密着することにより該軸体の先端部に係る内側空間における気密状態を確保する気密キャップ装置であって、
側壁部に前記内側空間及び外側空間を連通させる連通孔を有するキャップ部材と、
前記連通孔を塞ぐように前記キャップ部材の外周部に巻装された環状弾性部材と、を備え、
前記環状弾性部材は、軸体の進入時には前記連通孔を通じての前記内側空間からの排気を許容し、該軸体の装着時には該連通孔を外側から封止するものであることを特徴とする、
気密キャップ装置。
【請求項２】
前記キャップ部材の外周部には、前記環状弾性部材が嵌装される環状溝部が周方向に沿って形成されており、この環状溝部において前記連通孔が設けられていることを特徴とする、
請求項１に記載の気密キャップ装置。
【請求項３】
前記環状弾性部材は、その横断面形状が略円形形状に形成されており、
前記環状溝部は、その横断面形状が略V字形状に形成されており、この環状溝部の底部において前記連通孔が設けられていることを特徴とする、
請求項２に記載の気密キャップ装置。
【考案の詳細な説明】
【技術分野】
【０００１】
本考案は、例えば鉛筆型化粧品等の軸体、筆記具の軸体その他の軸体内に充填される固形化粧料や顔料等の揮発性内容物の乾燥固化を防止する目的で用いられる気密キャップ装置に関する。
【背景技術】
【０００２】
従来の気密キャップ装置としては、例えば側壁に環状段部を有する外キャップと、外キャップ内で軸線方向移動可能とされ、側壁に環状段部に対向する環状端部を有し内キャップの内外を連通させる連通孔を有する内キャップと、内キャップ及び外キャップの間に介在され内キャップの環状端部が外キャップの環状段部に密着するように付勢する弾性体とを備えたものが開示されている（例えば、特許文献１参照）。このような気密キャップ装置によれば、ペン型化粧品の軸体に装着される際、軸体の外周部が内キャップの内周部に密着するまでの間は、環状端部及び環状段部の間に隙間が確保されるため、ポンプアップを防止することが可能となり、軸体の外周部が内キャップの内周部に密着した後は、弾性体の付勢力により内キャップの環状端部が外キャップの環状段部に密着するため、ポンプアップを防止しながら気密を確保することが可能となる。ここで、ポンプアップとは、キャップを軸体に嵌合するとき、キャップ内が加圧されることによりキャップが軸体に対し離脱する方向に力が加わる現象をいう。
【特許文献１】特開２００１−２５２１３１号公報
【考案の開示】
【考案が解決しようとする課題】
【０００３】
ところで、気密の確保とポンプアップの防止を両立させた気密キャップ装置は、上記気密キャップ装置を含め複数見られるが、これらの多くが、外キャップ、この外キャップ内に軸線方向移動可能に収容された内キャップ及び両キャップの間に介在された弾性体を備えた二重構造のキャップによって気密の確保及びポンプアップの防止の両立を図ったものであり、このようなもの以外にこの種の気密キャップ装置は殆ど提案されていないことから、技術の選択肢が狭められているのが現状である。
【０００４】
そこで、本考案の課題は、従来技術とは全く異なる別個の構成によって気密の確保とポンプアップの防止を両立させることができる気密キャップ装置を提供することにある。
【課題を解決するための手段】
【０００５】
上記課題を解決するため、本考案に係る気密キャップ装置は、軸体の装着時、内周部が軸体の外周部に密着することにより軸体の先端部に係る内側空間における気密状態を確保する気密キャップ装置であって、側壁部に内側空間及び外側空間を連通させる連通孔を有するキャップ部材と、連通孔を塞ぐようにキャップ部材の外周部に巻装された環状弾性部材と、を備え、環状弾性部材は、軸体の進入時には連通孔を通じての内側空間からの排気を許容し、軸体の装着時には連通孔を外側から封止するものであることを特徴としている。
【０００６】
このような気密キャップ装置によれば、軸体の進入時には連通孔を通じての内側空間からの排気を許容し、軸体の装着時には連通孔を外側から封止する環状弾性部材を備えたので、従来技術とは全く異なる別個の構成によって気密の確保とポンプアップの防止を両立させることが可能となる。
【０００７】
このような技術的手段において、キャップ部材の外周部に巻装された環状弾性部材が軸線方向にずれないようにして本装置の作動を担保しようとする観点からすれば、キャップ部材の外周部には、環状弾性部材が嵌装される環状溝部が周方向に沿って形成されており、この環状溝部において連通孔が設けられていることが好ましい。
【０００８】
この場合において、本装置の作動を担保するのみならずキャップ部材に環状弾性部材を装着する場合における作業上の容易性を確保するという観点からすれば、環状弾性部材は、その横断面形状が略円形形状に形成されており、環状溝部は、その横断面形状が略V字形状に形成されており、この環状溝部の底部において連通孔が設けられていることが好ましい。
【考案の効果】
【０００９】
本考案に係る気密キャップ装置によれば、従来技術とは全く異なる別個の構成によって気密の確保とポンプアップの防止を両立させることが可能となる。
【考案を実施するための最良の形態】
【００１０】
以下、添付図面に基づいて本考案の実施の形態を詳細に説明する。
【００１１】
図１は本考案の一実施の形態に係る気密キャップ装置の全体構成を示す縦断面図（鉛筆型化粧品の非装着時）、図２は同気密キャップ装置の全体構成を示す縦断面図（鉛筆型化粧品の装着時）、図３は同気密キャップ装置に適用されたキャップ部材の外観構成を示す斜視図、図４は同キャップ部材の外観構成を示す側面図、図５は図４におけるＡ−Ａ断面図、図６は同キャップ部材の部分構成を示す縦断面図である。
【００１２】
本実施の形態において、気密キャップ装置は、軸体たる鉛筆型化粧品の装着時、内周部が鉛筆型化粧品の外周部に密着することにより鉛筆型化粧品の先端部に係る内側空間における気密状態を確保し、鉛筆型化粧品内に充填される固形化粧料や顔料等の揮発性内容物の乾燥固化を防止する役割を果たすものである。
【００１３】
具体的には、この気密キャップ装置は、図１及び図２に示すように、被覆部材１と、この被覆部材１内に収容された装置本体２とからなるものとして構成されている。
【００１４】
以下、これらの各構成要素についてさらに詳細に説明する。
【００１５】
（１）被覆部材１
被覆部材１は、図１及び図２に示すように、後述する装置本体２の外側及び前側を被覆することにより本実施の形態における気密キャップ装置としての装飾的な価値を高める役割を果たす。
【００１６】
具体的には、被覆部材１は、有頂筒形状（有頂円筒形状）を呈するものとして構成されている（図１及び図２参照）。
【００１７】
ここで、被覆部材１としては、金属製、樹脂製などの別を問わず適宜選定しても差し支えないが、温度や湿度等の外的環境変化の影響を受けにくくするという観点からすれば、ねじりやそりが発生しないような剛性を持った材料を用いることが好ましい。
【００１８】
具体的には、被覆部材１は、図１に示すように、軸線方向に対し垂直方向に形成された円形平板形状の被覆頂壁部１ａと、この被覆頂壁部１ａから後側に接続され略先端から後端に係る途中部分に亘って円筒形状に形成された被覆大径側壁部１ｂと、この被覆大径側壁部１ｂの後端より後側に配設され後端に係る途中部分から後端に亘って被覆大径側壁部１ｂよりも内径寸法の小さい円筒形状に形成された被覆小径側壁部１ｃと、被覆大径側壁部１ｂ及び被覆小径側壁部１ｃの境目である段状側壁部１ｄとを一体に形成してなるものとして構成されている。
【００１９】
なお、被覆小径側壁部１ｃは、図２に示すように、その内周面が鉛筆型化粧品１０１の外周面に対し周方向の全体に亘って当接又は近接しているが、これは、外観上の見栄えをよくすることを意図したものであり、鉛筆型化粧品１０１の先端部に係る内側空間における気密状態を確保することを狙ったものではない。
【００２０】
（２）装置本体２
装置本体２は、図１及び図２に示すように、キャップ部材２ａと、環状弾性部材たるＯリング２ｂとを備えたものとして構成されている（図６参照）。
【００２１】
先ず、キャップ部材２ａは、図１及び図３〜図５に示すように、筒形状（円筒形状）を呈する前側キャップ部分２１と、前側キャップ部分２１の後端から後側に接続された有頂筒形状（有頂円筒形状）を呈する後側キャップ部分２２とを一体に形成してなるものとして構成されている。
【００２２】
具体的には、前側キャップ部分２１は、図１及び図３〜図５に示すように、側壁に螺旋形状を呈するように切り欠かれた切り欠き孔２１ａを設けることにより軸線方向に伸縮し得る弾性体たるバネ部材としての機能を発揮するようになっている。すなわち、前側キャップ部分２１は、キャップ部材２ａを被覆頂壁部１ａ及び段状側壁部１ｄの間に軸線方向に押し潰された状態で挟み付けることによりこれを被覆部材１内に対し組み付け固定する役割を果たしている。また、前側キャップ部分２１は、キャップ部材２ａの長さ寸法についての製造誤差を吸収する役割をも果たしている。
【００２３】
一方、後側キャップ部分２２は、図３〜図５に示すように、キャップ小径側壁部２２ｄに内側空間及び外側空間を連通させる連通孔２２ａを有するものとして構成されている。具体的には、連通孔２２ａは、これらの図に示すように、周方向に沿って等間隔をおいて複数（４箇所）設けられている。そして、図１及び図２に示すように、この連通孔２２ａを塞ぐようにＯリング２ｂが後側キャップ部分２２の外周部に巻装されている。
【００２４】
このようなキャップ部材２ａ、連通孔２２ａ及びＯリング２ｂにより、内キャップ部材２ａ及び外キャップ部材２ａからなる二重構造のキャップ部材２ａ並びに両キャップ部材２ａの間に介在された弾性体を用いて弁機構を構成していた従来技術とは全く異なる別個の構成によってポンプアップを防止しながら気密を確保するという本考案の基本的な機能を発揮させることが可能となっている。
【００２５】
本実施の形態においては、図１及び図２に示すように、後側キャップ部分２２の外周部にＯリング２ｂが嵌装される環状溝部２２ｂが周方向に沿って形成されており、この環状溝部２２ｂにおいて連通孔２２ａが設けられている。
【００２６】
このような構成を採用することにより、キャップ部材２ａの外周部に巻装されたＯリング２ｂを軸線方向にずれないよう係止することが可能となっており、その結果、ポンプアップを防止しながら気密を確保するという本実施の形態における気密キャップ装置の作動を担保することが可能となっている。
【００２７】
ここで、図１及び図２に示すように、本実施の形態における環状溝部２２ｂは、その横断面形状が略V字形状という上側に向けて広く開放された形状に形成されており、このような環状溝部２２ｂの底部において連通孔２２ａが設けられている。しかも、本実施の形態におけるＯリング２ｂは、これらの図に示すように、横断面形状が略円形形状に形成されている（図６参照）。
【００２８】
このような構成を採用することにより、本気密キャップ装置の作動を担保するのみならず、キャップ部材２ａの外周部にＯリング２ｂを装着する場合における作業上の容易性を確保することもが可能となっている。
【００２９】
具体的には、後側キャップ部分２２は、図１に示すように、前側キャップ部分２１から後側に接続され軸線方向に対し垂直方向に円形平板形状に形成されたキャップ頂壁部２２ｃと、このキャップ頂壁部２２ｃから後側に接続され略先端から中央に係る途中部分に亘って円筒形状に形成されたキャップ小径側壁部２２ｄと、このキャップ小径側壁部２２ｄの後端より後側に配設され中央に係る途中部分から後端に亘ってキャップ小径側壁部２２ｄよりも内径寸法の大きい円筒形状に形成されたキャップ大径側壁部２２ｅと、前端及び後端がそれぞれキャップ小径側壁部２２ｄ及びキャップ大径側壁部２２ｅに接続された傾斜側壁部２２ｆとからなっている。
【００３０】
ここで、傾斜側壁部２２ｆは、図２に示すように、その内周部に鉛筆型化粧品１０１の先端側外周部の傾斜面に倣った傾斜面を有している。この傾斜面は、同図に示すように、鉛筆型化粧品１０１の装着時、後側キャップ部材２ａ内への鉛筆型化粧品１０１の挿入長さを規制するストッパーとしての役割を果たしている。
【００３１】
また、キャップ大径側壁部２２ｅは、図１及び図３〜図５に示すように、その内周部に周方向の全体に亘って延びる内側環状凸部２２ｇを有している。この内側環状凸部２２ｇは、図２に示すように、鉛筆型化粧品１０１の装着時、鉛筆型化粧品１０１の外周部に密着することになり、これにより、鉛筆型化粧品１０１の先端部に係る内側空間における気密状態を確保することが可能となっている。
【００３２】
また、キャップ大径側壁部２２ｅは、図１、図３及び図５に示すように、その外周部に周方向の全体に亘って延びており、被覆部材１の内周部に対し常時当接することにより被覆部材１内におけるキャップ部材２ａの横方向揺動を防止する外側環状凸部２２ｈを有している。
【００３３】
なお、本実施の形態では、図１及び図２に示すように、キャップ部材２ａの外周部に形成された外側環状凸部２２ｈがキャップ部材２ａの中央に係る途中部分に一箇所だけ形成されたものであることから、キャップ部材２ａの先端部分又は後端部分が外側環状凸部２２ｈを支点として揺動することがあり得る。しかし、本実施の形態では、被覆頂壁部１ａ及び段状側壁部１ｄの間に挟み付けられ組み付けられたキャップ部材２ａの緊張力を相当に大きくすることにより外側環状凸部２２ｈを支点とする揺動を防止し、キャップ部材２ａの被覆部材１に対する組み付け安定性を確保することとしている。
【００３４】
ここで、このようなキャップ部材２ａとしては、ＰＥ樹脂（高密度ポリエチレン、低密度ポリエチレン、直鎖状低密度ポリエチレン）、ポリカーボネート樹脂、ＡＢＳ樹脂、ＰＢＴ樹脂、ＡＳ樹脂、ＰＣＴＡ樹脂、ＰＰ樹脂等、公知材料の中から適宜選定しても差し支えないが、温度や湿度等の外的環境変化の影響を受けにくくするという観点からすれば、ねじりやそりが発生しないような剛性を持った材料を用いることが好ましい。
【００３５】
ところで、本実施の形態におけるキャップ部材２ａのうち後側キャップ部分２２としては、被覆部材１の開口部を通過させて被覆部材１内にキャップ部材２ａを装着することが不可欠となるために、そのような装着を行うことが可能な程度に小さい剛性を持った材料を用いる必要がある。一方、前側キャップ部分２１としては、被覆頂壁部１ａ及び段状側壁部１ｄの間に挟み付けられ組み付けられたキャップ部材２ａの被覆部材１に対する組み付け安定性を確保することが可能な程度に大きい緊張力を発揮する剛性を持った材料を用いる必要がある。
【００３６】
そこで、本実施の形態では、後側キャップ部分２２に要求される小さい剛性に対応させてキャップ部材２ａ全体としての材料を選定することにより後側キャップ部分２２の剛性を相当に小さくしていると共に、前側キャップ部分２１に要求される大きい剛性に対応させて前側キャップ部分２１の壁厚を大きく設定することにより前側キャップ部分２１の剛性を相当に大きくしている。
【００３７】
次に、Ｏリング２ｂは、図１及び図２に示すように、横断面形状が略円形形状に形成され、キャップ小径側壁部２２ｄに設けられた連通孔２２ａを塞ぐように後側キャップ部分２２の外周部に巻装されたものとして構成されている（図６参照）。
このＯリング２ｂは、鉛筆型化粧品１０１の進入時には連通孔２２ａを通じての内側空間からの排気を許容する役割を果たし、鉛筆型化粧品１０１の装着時には連通孔２２ａを外側から封止する役割を果たすものとして構成されている（図２参照）。
【００３８】
このようなＯリング２ｂ、連通孔２２ａ及びキャップ部材２ａにより、内キャップ部材２ａ及び外キャップ部材２ａからなる二重構造のキャップ部材２ａ並びに両キャップ部材２ａの間に介在された弾性体を用いて弁機構を構成していた従来技術とは全く異なる別個の構成によってポンプアップを防止しながら気密を確保するという本考案の基本的な機能を発揮させることが可能となっている。
【００３９】
なお、本考案においては、被覆部材は必須ではなく、キャップ部材と環状弾性部材の着色を変え意匠性を高めたり、環状弾性部材を透明にし一部中を覗いたり、化粧料の内容物に着色して判別を高めることができる。また、環状弾性部材は、断面が円形の他、矩形にしたり、台形、Ｖ字形にしたり選択でき、被覆部材はなくして外観に環状弾性部材をむき出しにした場合、キャップ離脱時の滑り止めにしたりハンドリング性を向上させることができる。
【００４０】
次に、本実施の形態に係る気密キャップ装置の作用について図２に基づいて説明する。
【００４１】
先ず、使用者が鉛筆型化粧品１０１をキャップ部材２ａ内に挿入すると、鉛筆型化粧品１０１の先細りに係る部分は、最初に、後側キャップ部分２２の被覆小径側壁部１ｃに係る部位を通過し、続いて、後側キャップ部分２２の内側環状凸部２２ｇに係る部位を通過し、続いて、鉛筆型化粧品１０１の先細りに係る部分に後続する鉛筆型化粧品１０１の外周部が後側キャップ部分２２の内側環状凸部２２ｇに係る部位に進入する。
【００４２】
すると、後側キャップ部分２２の連通孔２２ａがＯリング２ｂによって外側から封止された状態において後側キャップ部分２２の内側環状凸部２２ｇが鉛筆型化粧品１０１の外周部に密着するため、鉛筆型化粧品１０１の先端部に係る後側キャップ部分２２の内側空間における気圧が漸次上昇する。
【００４３】
すると、後側キャップ部分２２の内側空間における気圧の上昇が連通孔２２ａを通じて内側からＯリング２ｂに加わる押圧力の上昇となるため、後側キャップ部分２２の内側空間における気圧が漸次上昇すると、内側からＯリング２ｂに加わる押圧力も漸次上昇する。
【００４４】
そして、Ｏリング２ｂに加わる押圧力が一定限度を超えると、Ｏリング２ｂが変形することにより、Ｏリング２ｂによる連通孔２２ａに対する封止は解除され、後側キャップ部分２２の内側空間における空気は連通孔２２ａを通じて外側空間へと抜けることになる。
【００４５】
ここで、Ｏリング２ｂとして、ポンプアップ現象が生じ得ないレベルの押圧力で連通孔２２ａに対する封止を解除することになるものを選定しているため、鉛筆型化粧品１０１の進入時、後側キャップ部分２２の内側空間における気圧はポンプアップ現象が生じるレベルまで上昇することはない。
【００４６】
次に、鉛筆型化粧品１０１の先細りに係る部分が後側キャップ部分２２の傾斜側壁部２２ｆに当接すると、本実施の形態に係る気密キャップ装置に対する鉛筆型化粧品１０１の装着が完了する（図２に示された状態）。
【００４７】
鉛筆型化粧品１０１の装着が完了した瞬間、後側キャップ部分２２の内側空間における気圧が一定限度を超えたときは、Ｏリング２ｂの変形によってＯリング２ｂによる連通孔２２ａに対する封止は瞬間的に解除されるが、封止解除後からは鉛筆型化粧品１０１の装着時にＯリング２ｂによる連通孔２２ａに対する封止が解除されることはない。
【００４８】
一方、鉛筆型化粧品１０１の装着が完了した瞬間、後側キャップ部分２２の内側空間における気圧が一定限度を超えないときは、鉛筆型化粧品１０１の装着時にＯリング２ｂによる連通孔２２ａに対する封止は解除されることはない。
【００４９】
上記したように、本実施の形態に係る気密キャップ装置にあっては、鉛筆型化粧品１０１の進入時には連通孔２２ａを通じての内側空間からの排気を許容し、鉛筆型化粧品１０１の装着時には連通孔２２ａを外側から封止するＯリング２ｂを備えたものとして構成されている。
【００５０】
したがって、このような気密キャップ装置によれば、従来技術とは全く異なる別個の構成によって気密の確保とポンプアップの防止を両立させることが可能となっている。
【００５１】
以上、本実施の形態においては、鉛筆型化粧品に適用する場合について説明したが、本考案は、このような実施の形態に限定されるものではない。固体や液体等の揮発性内容物の乾燥固化を防止する目的で用いられるものである限り、ブラシペン等その他の化粧品に適用してもよいし、化粧品以外の筆記具、医薬品その他の軸体に適用してもよい。
【図面の簡単な説明】
【００５２】
【図１】本考案の一実施の形態に係る気密キャップ装置の全体構成を示す縦断面図（鉛筆型化粧品の非装着時）である。
【図２】同気密キャップ装置の全体構成を示す縦断面図（鉛筆型化粧品の装着時）である。
【図３】同気密キャップ装置に適用されたキャップ部材の外観構成を示す斜視図である。
【図４】同キャップ部材の外観構成を示す側面図である。
【図５】図４におけるＡ−Ａ断面図である。
【図６】同キャップ部材の部分構成を示す縦断面図である。
【符号の説明】
【００５３】
１ 被覆部材
１ａ 被覆頂壁部
１ｂ 被覆大径側壁部
１ｃ 被覆小径側壁部
１ｄ 段状側壁部
２ 装置本体
２ａ キャップ部材
２ｂ Ｏリング
２１ 前側キャップ部分
２１ａ 切り欠き孔
２２ 後側キャップ部分
２２ａ 連通孔
２２ｂ 環状溝部
２２ｃ キャップ頂壁部
２２ｄ キャップ小径側壁部
２２ｅ キャップ大径側壁部
２２ｆ 傾斜側壁部
２２ｇ 内側環状凸部
２２ｈ 外側環状凸部
１０１ 鉛筆型化粧品
【図１】
0003145243.tif 000003
【図２】
0003145243.tif 000004
【図３】
0003145243.tif 000005
【図４】
0003145243.tif 000006
【図５】
0003145243.tif 000007
【図６】
0003145243.tif 000008